(57)【要約】【課題】高倍率、小型軽量且つズーム全域において画面中心から画面周辺まで高い光学性能を達成するズームレンズを提供すること。【解決手段】物体側から順に、変倍において固定の正の屈折力の第１レンズ群、変倍用に移動の負の屈折力の第２レンズ群、変倍用に移動の負の屈折力の第３レンズ群、変倍による像面の変動を補正する負または正の屈折力の第４レンズ群、開口絞りを含み変倍中固定で正または負の屈折力の第５レンズ群から構成され、前記第２レンズ群と前記第３レンズ群の焦点距離、前記第２レンズと前記第３レンズ群の広角端および焦点距離ｆｗｍ＝ｆｗ×Ｚ１／４  にかけての移動量を適切に設定する。【選択図】図１
2017203927.tif 000002
【特許請求の範囲】
【請求項１】
物体側から順に、変倍において固定の正の屈折力の第１レンズ群、変倍用に移動の負の屈折力の第２レンズ群、変倍用に移動の負の屈折力の第３レンズ群、変倍による像面の変動を補正する負または正の屈折力の第４レンズ群、開口絞りを含み変倍中固定で正または負の屈折力の第５レンズ群から構成され、前記第２レンズ群と前記第３レンズ群の焦点距離を各々ｆ２、ｆ３、前記第２レンズと前記第３レンズ群の広角端から焦点距離ｆｗｍにかけての移動量を各々ｍｖ２、ｍｖ３としたとき、
０．８０  ＜  ｍｖ３  ／  ｍｖ２  ＜  １．００
１．００  ＜  ｍｖ３  ／  ｍｖ２  ＜  １．２５
０．７０  ＜  ｆ２  ／  ｆ３  ＜  ４．５０    
なる条件を満足することを特徴とするズームレンズ。
但し、前記ｆｗｍは広角端焦点距離をｆｗ、ズーム比をＺとしたとき、下記条件を満足する。
ｆｗｍ＝ｆｗ×Ｚ１／４
【請求項２】
物体側から順に、変倍において固定の正の屈折力の第１レンズ群、変倍用に移動の負の屈折力の第２レンズ群、変倍用に移動の負の屈折力の第３レンズ群、変倍による像面の変動を補正する負または正の屈折力の第４レンズ群、開口絞りを含み変倍中固定で正または負の屈折力の第５レンズ群から構成され、前記第３レンズ群の前記ｆｗｍにおける３次非点収差係数をIII３ｗｍとしたとき、
０．００  ＜  III３ｗｍ
１．００  ＜  ｍｖ３  ／  ｍｖ２  ＜  １．２５
０．７０  ＜  ｆ２  ／  ｆ３  ＜  ４．５０    
なる条件を満足することを特徴とする請求項１に記載のズームレンズ。
【請求項３】
物体側から順に、変倍において固定の正の屈折力の第１レンズ群、変倍用に移動の負の屈折力の第２レンズ群、変倍用に移動の負の屈折力の第３レンズ群、変倍による像面の変動を補正する負または正の屈折力の第４レンズ群、開口絞りを含み変倍中固定で正または負の屈折力の第５レンズ群から構成され、前記第３レンズ群の前記ｆｗｍにおける３次非点収差係数をIII３ｗｍとしたとき、
III３ｗｍ  ＜  ０．００  
０．８０  ＜  ｍｖ３  ／  ｍｖ２  ＜  １．００
０．７０  ＜  ｆ２  ／  ｆ３  ＜  ４．５０    
なる条件を満足することを特徴とする請求項１に記載のズームレンズ。
【請求項４】
レンズ全系の望遠端焦点距離をｆＴ、前記第１レンズ群の焦点距離をｆ１、前記第２レンズ群と前記第３レンズ群の望遠端における合成焦点距離をｆ２３としたとき、
２．３０  ＜  ｆＴ  ／  ｆ１  ＜  ７．００
４．００  ＜  ｜ｆ１  ／  ｆ２３｜  ＜  １２．００
なる条件を満足することを特徴とする請求項１乃至３のいずれか１項に記載のズームレンズ。
【請求項５】
前記第３レンズ群は少なくとも１枚の負レンズを有し、負レンズの材料の平均アッベ数をν３としたとき、
３５．００    ＜  ν３  
なる条件を満足することを特徴とする請求項１乃至４のいずれか１項に記載のズームレンズ。
【請求項６】
請求項１乃至５のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、放送用テレビカメラや映画用カメラ、ビデオカメラ等の撮像装置には映像表現の拡大のため浅い被写界深度や美しいボケ味を特徴とする大判カメラが使用されている。大判カメラに装着するズームレンズとして、機動性確保、撮影の自由度向上のために小型軽量で、高倍率、且つ高い光学性能を有したズームレンズが要望されている。
【０００３】
ズームレンズのうち物体側から順に合焦用の正の屈折力の第１レンズ群、変倍用の負の屈折力の第２レンズ群、変倍に伴って変動する像面を補正するための負、または正の屈折力の第３レンズ群、そして結像用の正、または負の屈折力の第４レンズ群から構成される所謂４群ズームレンズは、高倍率化、小型軽量化の両立が比較的容易であるため放送用ズームレンズに多く用いられている。
【０００４】
特許文献１には、変倍比が１５倍のズームレンズが開示されている。
【０００５】
近年においては変倍群が３つ以上の可動群で構成されたズームレンズが提案されている。可動群のパワー配置、移動軌跡の自由度が増えることにより、４群ズームレンズに対して更なる高倍率化、小型軽量化の両立を達成しながら、高性能化を達成できる。
【０００６】
特許文献２、３には、物体側から順に合焦用の正の屈折力の第１レンズ群、変倍用の負の屈折力の第２レンズ群、変倍用の負の屈折力の第３レンズ群、変倍に伴って変動する像面を補正するための負の屈折力の第４レンズ群、そして結像用の正の屈折力の第５レンズ群から構成されるズームレンズが開示されている。
【先行技術文献】
【特許文献】
【０００７】
【特許文献１】特開２００７−１３９８５８号公報
【特許文献２】特開２０１１-８１０６３号公報
【特許文献３】特開平７−１３０７５号公報
【発明の概要】
【発明が解決しようとする課題】
【０００８】
近年、ＣＭＯＳやＣＣＤ等の撮像素子において、従来のＦＵＬＬ ＨＤの略４倍の画素数（８００万画素）を有する所謂４Ｋカメラが主流となっている。そのため、高倍率、小型軽量を両立しながら、ズーム全域において画面中心から画面周辺まで均一で高い解像力を有するズームレンズが要求されている。
【０００９】
特許文献１のズームレンズに対して更なる高性能化を達成するためには、諸収差の変動を抑制するために各群のレンズ枚数を増やす必要があり、小型軽量化が達成出来ない。
【００１０】
特許文献２のズームレンズは広角端と望遠端における第２レンズ群と第３レンズ群の間隔の比の条件を規定し、且つ第２レンズ群と第３レンズ群の焦点距離の比の条件を規定することにより変倍部の長さの短縮を達成している。
【００１１】
しかしながら、前記条件では、ズームによる収差変動の抑制が困難であり、また諸収差の変動、特にズーム中間における諸収差の変動の抑制について何ら言及がされていない。
【００１２】
特許文献３のズームレンズは第２レンズ群と第３レンズ群の移動軌跡の条件を規定することにより、第１レンズ群の有効径縮小を達成している。
【００１３】
しかしながら、近軸的に第１レンズ群の有効径を下げるためだけに第２レンズ群と第３レンズ群の移動軌跡を変化させているだけであり、収差補正上の効果について何ら言及されていない。
【００１４】
以上より、高倍率、小型軽量且つズーム全域において画面中心から画面周辺まで高い光学性能を達成するためには各群のパワー配置、変倍可動群の移動軌跡を適切に設定することが重要となる。
【００１５】
そこで、本発明の目的は、高倍率、小型軽量且つズーム全域において画面中心から画面周辺まで高い光学性能を達成するズームレンズ及びそれを有する撮像装置を提供することにある。
【課題を解決するための手段】
【００１６】
上記の目的を達成するために、本発明に係るズームレンズは、
物体側から順に、変倍において固定の正の屈折力の第１レンズ群、変倍用に移動の負の屈折力の第２レンズ群、変倍用に移動の負の屈折力の第３レンズ群、変倍による像面の変動を補正する負または正の屈折力の第４レンズ群、開口絞りを含み変倍中固定で正または負の屈折力の第５レンズ群から構成され、前記第２レンズ群と前記第３レンズ群の焦点距離を各々ｆ２、ｆ３、前記第２レンズと前記第３レンズ群の広角端から焦点距離ｆｗｍにかけての移動量を各々ｍｖ２、ｍｖ３としたとき、
０．８０  ＜  ｍｖ３  ／  ｍｖ２  ＜  １．００
１．００  ＜  ｍｖ３  ／  ｍｖ２  ＜  １．２５
０．７０  ＜  ｆ２  ／  ｆ３  ＜  ４．５０    
なる条件を満足することを特徴とする。
但し、前記ｆｗｍは広角端焦点距離をｆｗ、ズーム比をＺとしたとき、下記条件を満足する。
ｆｗｍ＝ｆｗ×Ｚ１／４
本発明の更なる目的又はその他の特徴は、以下、添付の図面を参照して説明される好ましい実施例等によって明らかにされるであろう。
【発明の効果】
【００１７】
本発明によれば、高倍率、小型軽量且つズーム全域において画面中心から画面周辺まで高い光学性能を達成するズームレンズ及びそれを有する撮像装置が得られる。
【図面の簡単な説明】
【００１８】
【図１】（Ａ）、（Ｂ）、（Ｃ）は、それぞれ、実施例１の広角端、ｆｗｍ＝１００．４２ｍｍ、望遠端のレンズ断面図
【図２】（Ａ）、（Ｂ）、（Ｃ）は、それぞれ、実施例１の広角端、ｆｗｍ＝１００．４２ｍｍ、望遠端の収差図
【図３】（Ａ）、（Ｂ）、（Ｃ）は、それぞれ、実施例２の広角端、ｆｗｍ＝１００．０２ｍｍ、望遠端のレンズ断面図
【図４】（Ａ）、（Ｂ）、（Ｃ）は、それぞれ、実施例２の広角端、ｆｗｍ＝１００．０２ｍｍ、望遠端の収差図
【図５】（Ａ）、（Ｂ）、（Ｃ）は、それぞれ、実施例３の広角端、ｆｗｍ＝２９．３３ｍｍ、望遠端のレンズ断面図
【図６】（Ａ）、（Ｂ）、（Ｃ）は、それぞれ、実施例３の広角端、ｆｗｍ＝２９．３３ｍｍ、望遠端の収差図
【図７】（Ａ）、（Ｂ）、（Ｃ）は、それぞれ、実施例４の広角端、ｆｗｍ＝２４．０８ｍｍ、望遠端のレンズ断面図
【図８】（Ａ）、（Ｂ）、（Ｃ）は、それぞれ、実施例４の広角端、ｆｗｍ＝２４．０８ｍｍ、望遠端の収差図
【図９】実施例１の広角端、ｆｗｍ＝１００．４２ｍｍにおける近軸光路概略図
【図１０】本発明の撮像装置の要部概略図
【発明を実施するための形態】
【００１９】
以下に、本発明の実施の形態を添付の図面に基づいて詳細に説明する。図１は本発明の実施例１の広角端、ｆｗｍ＝１００．４２ｍｍ、望遠端のレンズ断面図である。
【００２０】
本発明のズームレンズは物体側から順に、変倍において固定の正の屈折力の第１レンズ群Ｕ１、変倍用に移動の負の屈折力の第２レンズ群Ｕ２、変倍用に移動の負の屈折力の第３レンズ群Ｕ３、変倍による像面の変動を補正する負または正の屈折力の第４レンズ群Ｕ４、開口絞りを含み変倍中固定で正または負の屈折力の第５レンズ群Ｕ５から構成される。前記第２レンズ群と前記第３レンズ群の焦点距離を各々ｆ２、ｆ３、前記第２レンズと前記第３レンズ群の広角端から焦点距離ｆｗｍにかけての移動量を各々ｍｖ２、ｍｖ３としたとき、以下の条件を満足する。
０．８０  ＜  ｍｖ３  ／  ｍｖ２  ＜  １．００    ・・・（１）
１．００  ＜  ｍｖ３  ／  ｍｖ２  ＜  １．２５  ・・・（２）
０．７０  ＜  ｆ２  ／  ｆ３  ＜  ４．５０      ・・・（３）
但し、前記ｆｗｍは広角端焦点距離をｆｗ、ズーム比をＺとしたとき、下記条件を満足する。
ｆｗｍ＝ｆｗ×Ｚ１／４
条件式（１）、（２）は第２レンズ群と第３レンズ群の広角端からズーム中間ポジションｆｗｍにかけての移動量の比を規定することにより、ｆｗｍにおける収差変動の抑制を達成するための条件を規定している。
【００２１】
ズームレンズにおいて更なる小型軽量、高倍率化を達成しようとした場合、画面周辺ベスト像面の変倍に伴う変動が課題となる。これは主に変倍に伴うメリディオナル像面湾曲の変動に起因している。一般に変倍に伴うメリディオナル像面湾曲の変動は、広角端からズーム位置ｆｗｍ＝ｆｗ×Ｚ１／４にかけてガウス像面に対してアンダー傾向となる。この現象を３次の収差論を用いて説明する。任意の焦点距離ｆｚにおけるレンズ全系の３次のメリディオナル像面湾曲ΔＭｆｚ及び３次のサジタル像面湾曲ΔＳｆｚは以下の式で表わされる。
【００２２】
【数１】
2017203927.tif 000003
【００２３】
但し、IIIｆｚは任意の焦点距離ｆｚにおけるレンズ全系の3次の非点収差係数、Ｐはレンズ全系のペッツバール和、Ｙは像高を表わしている。Ｐはズーム全域で一定である。（ａ）、（ｂ）より３次の非点収差係数がズーミングによって変動したとき、メリディオナル像面湾曲がサジタル像面湾曲に対してより大きく変動するため、メリディオナル像面湾曲のズーミングによる変動が課題となる。
【００２４】
３次の領域においては全系の収差係数は各レンズ群の収差係数の和として表わすことができる。５群構成のズームレンズの場合、全系の３次の非点収差係数は以下のように表される。
【００２５】
【数２】
2017203927.tif 000004
【００２６】
ここで各レンズ群の非点収差係数は、ズーミングによる各レンズ群に入射する物体近軸光線追跡値及び瞳近軸光線追跡値の変化によって変化する。
【００２７】
図９に示すように、広角端からｆｗｍ＝ｆｗ×Ｚ１／４にかけてＵ１に入射する瞳近軸光線高さが急峻に高くなり、Ｕ１の３次の非点収差係数はプラス方向に増大する。すなわちＵ１による３次のメリディオナル像面湾曲がアンダーに増大し、これがレンズ全系における３次のメリディオナル像面湾曲の変動の支配的要因となる。
【００２８】
この３次のメリディオナル像面湾曲の変動を抑制するためには、広角端からｆｗｍ＝ｆｗ×Ｚ１／４にかけてＵ２とＵ３の間隔が異なるようにＵ３を移動させることが好ましい。Ｕ３に入射する瞳近軸光線追跡値を変更することにより、Ｕ１によって発生した非点収差係数の変動を抑制することが可能となる。
【００２９】
Ｕ３を移動する方向はＵ３の３次の非点収差係数IIIＵ３の符号によって異なる。即ち、IIIＵ３がプラスの場合は広角端からｆｗｍ＝ｆｗ×Ｚ１／４にかけてＵ３をＵ２に対して像面側に移動することにより、Ｕ３に入射する瞳近軸光線が低くなり、IIIＵ３の値が小さくなることにより、Ｕ３による３次のメリディオナル像面湾曲はオーバーに変化する。一方、IIIＵ３がマイナスの場合は広角端からｆｗｍ＝ｆｗ×Ｚ１／４ にかけてＵ３をＵ２に対して物体側に移動することにより、Ｕ３に入射する瞳近軸光線が高くなり、ＩＩＩＵ３の値が大きくなることにより、Ｕ３による３次のメリディオナル像面湾曲はオーバーに変化する。
【００３０】
更にＵ３の広角端からｆｗｍ＝ｆｗ×Ｚ１／４にかけての移動量及びＵ３の屈折力は、３次のメリディオナル像面湾曲の補正だけでなく、移動に伴う物体近軸光線、瞳近軸光線の変化による球面収差やコマ収差等の３次収差、色収差の変化も考慮に入れて適切に設定する必要がある。
【００３１】
以上より、小型軽量、高倍率、画面周辺ベスト像面の変倍に伴う変動の抑制を両立するためには、Ｕ３の移動量、屈折力を適切に設定する必要がある。
【００３２】
条件式（１）の下限、もしくは条件式（２）の上限を超えると、Ｕ２の移動量に対するＵ３の移動量が大きくなり過ぎ、３次のメリディオナル像面湾曲の補正が過補正となる。更に、球面収差やコマ収差等の３次収差、色収差の変化量が増大してしまう。条件式（１）の上限、もしくは条件式（２）の下限を超えると、広角端からｆｗｍ＝ｆｗ×Ｚ１／４ にかけて発生する３次のメリディオナル像面湾曲の変動を抑制することが困難となる。更に好ましくは条件式（１）、条件式（２）を次の如く設定するのが良い。
０．９０  ＜  ｍｖ３  ／  ｍｖ２  ＜  １．００    ・・・（１ａ）
１．００  ＜  ｍｖ３  ／  ｍｖ２  ＜  １．１５  ・・・（２ａ）
条件式（３）は第２レンズ群の焦点距離と第３レンズ群の焦点距離の比を規定することにより、ｆｗｍにおける収差変動の抑制を達成するための条件を規定している。
【００３３】
前述のとおり、Ｕ３の屈折力は、３次のメリディオナル像面湾曲の補正だけでなく、移動に伴う物体近軸光線、瞳近軸光線の変化による球面収差やコマ収差等の３次収差、色収差の変化も考慮に入れて適切に設定する必要がある。
【００３４】
条件式（３）の上限を超えると、Ｕ２に対するＵ３の屈折力が強くなり過ぎ、３次のメリディオナル像面湾曲の補正が過補正となる。更に、球面収差やコマ収差等の３次収差、色収差の変化量が増大してしまう。条件式（３）の下限を超えると、Ｕ２に対するＵ３の屈折力が弱くなり過ぎ、広角端からｆｗｍ＝ｆｗ×Ｚ１／４にかけて発生する３次のメリディオナル像面湾曲の変動を抑制することが困難となる。更に好ましくは、条件式（３）を次の如く設定するのが良い。
０．７４  ＜  ｆ２  ／  ｆ３  ＜  ３．８      ・・・（３ａ）
本発明の更なる実施態様として、レンズ全系の望遠端焦点距離をｆＴ、第１レンズ群の焦点距離をｆ１としたとき、下記の条件式を満足することが好ましい。
２．３０  ＜  ｆＴ  ／  ｆ１  ＜  ７．００      ・・・（４）
条件式（４）はレンズ全系における望遠端焦点距離と第１レンズ群の焦点距離の比を規定することにより、小型軽量、高倍率且つ高性能の両立を達成するための条件を規定している。小型軽量化と高倍率化の両立を達成するためには、Ｕ１の焦点距離ｆ１を小さくすることが望ましい。f１を小さくすると、Ｕ１の像点位置、即ちＵ２の物点位置がＵ２に近づくため、変倍に必要なストローク量を低減することが可能となるためである。
【００３５】
しかしながら、f１を小さくすると、所望の望遠端焦点距離を得るために、Ｕ１以降の結像倍率が増大し、Ｕ１で発生する球面収差、軸上色収差の拡大率が増大するため、高性能化を達成することが困難となる。
【００３６】
以上より、Ｕ１の焦点距離を適切な範囲に設定することが、小型軽量、高倍率且つ高性能を達成するために必要である。
【００３７】
条件式（４）の上限を超えると、レンズ全系の望遠端焦点距離に対するＵ１の焦点距離が小さくなり過ぎ、高性能化を達成することが困難となる。条件式（４）の下限を超えると、レンズ全系の望遠端焦点距離に対する第１レンズ群の焦点距離が大きくなり過ぎ、小型軽量化、高倍率化を達成することが困難となる。
【００３８】
本発明の更なる実施態様として、第２レンズ群の焦点距離と第３レンズ群の望遠端における合成焦点距離をｆ２３としたとき、下記の条件式を満足することが好ましい。
４．００  ＜  ｜  ｆ１  ／  ｆ２３  ｜  ＜  １２．００      ・・・（５）
条件式（５）は、第１レンズ群の焦点距離と第２レンズ群、第３レンズ群の望遠端における合成焦点距離の比を規定することにより、小型軽量、高倍率且つ高性能の両立を達成するための条件を規定している。
【００３９】
条件式（５）の上限を超えると、第１レンズ群の焦点距離が大きくなり過ぎ、第１群の有効径やレンズ全長が増大し、小型軽量が困難となるとともに、第２レンズ群、第３レンズ群の合成焦点距離が小さくなり過ぎ、変倍に伴う球面収差、コマ収差、色収差の収差変動の補正が困難となる。条件式（５）の下限を超えると、第１レンズ群の焦点距離が小さくなり過ぎ、特に望遠端における球面収差、軸上色収差等の補正が困難となるとともに、第２レンズ群、第３レンズ群の合成焦点距離が大きくなり過ぎ、変倍のための変倍群の移動量が増大するため、高変倍比と小型軽量を両立することが困難となる。
【００４０】
本発明の更なる実施態様として、第３レンズ群の負レンズの材料の平均アッベ数をν３としたとき、下記の条件を満足することが好ましい。
３５．００    ＜  ν３    ・・・（６）
条件式（６）は第３レンズ群の負レンズの材料の平均アッベ数を規定することにより、広角端からｆｗｍ＝ｆｗ×Ｚ１／４にかけて発生する色収差の変動を抑制するための条件を規定している。条件式（６）の下限を超えると、負レンズの分散が大きくなり過ぎ、広角端からｆｗｍ＝ｆｗ×Ｚ１／４にかけて発生する倍率色収差の変動を抑制することが困難となる。
【００４１】
［実施例１］
図１は本発明の実施例１としての数値実施例１の広角端、ｆ＝１００．４２ｍｍ、望遠のレンズ断面図である。図２は広角端、ｆ＝１００．４２ｍｍ、望遠端の収差図である。
【００４２】
各レンズ断面図において、左方が被写体（物体）側（前方）で、右方が像側（後方）である。Ｕ１は変倍において不動の正の第１レンズ群である。Ｕ１の一部を光軸方向に移動させることでフォーカス調整を行う。Ｕ２、Ｕ３はそれぞれ変倍に際し移動する負の屈折力の第２レンズ群、第３レンズ群であり、光軸上を像面側へ移動させることにより、広角端から望遠端への変倍を行っている。
【００４３】
広角端からｆ＝１００．４２ｍｍにかけて、Ｕ３はＵ２に対して物体側に移動している。Ｕ４は変倍に際し移動する負の屈折力の第４レンズ群であり、広角端から望遠端にかけて、光軸上を移動する。Ｕ５は固定群であり、第５レンズ群（リレー群）である。Ｕ５内に固定の開口絞りＳＰが配置されている。Ｕ５内には、焦点距離変換用のコンバータ（エクステンダ）等が装着されても良い。ＩＰは像面であり、固体撮像素子やフィルム面といった撮像面に相当する。
【００４４】
各収差において、球面収差における実線、二点鎖線はそれぞれｅ線、ｇ線である。非点収差における実線と一点鎖線はそれぞれサジタル像面（ΔＳ）、メリディオナル像面（ΔＭ）であり、倍率色収差における二点鎖線はｇ線の倍率色収差である。ωは近軸での半画角、ＦｎｏはＦナンバーである。縦収差図では球面収差は０．４ｍｍ、非点収差は０．４ｍｍ、歪曲は５％、倍率色収差は０．０５ｍｍのスケールで描かれている。これらレンズ断面図と収差図に関する説明は、以降の実施例においても特に記載の無い限り全て同じである。
【００４５】
本実施例の各条件式対応値を表１に示す。本数値実施例はいずれの条件式も満足しており、良好な光学性能を達成している。また、ズーム比１９．９７倍、全長４５５.００ｍｍと、高倍率且つ小型軽量を達成している。
【００４６】
［実施例２］
図３は本発明の実施例２としての数値実施例２の広角端、ｆ＝１００．０２ｍｍ、望遠端のレンズ断面図である。図４は広角端、ｆ＝１００．０２ｍｍ、望遠端での収差図である。
【００４７】
各レンズ断面図において、左方が被写体（物体）側（前方）で、右方が像側（後方）である。Ｕ１は変倍において不動の正の第１レンズ群である。Ｕ１の一部を光軸方向に移動させることでフォーカス調整を行う。Ｕ２、Ｕ３はそれぞれ変倍に際し移動する負の屈折力の第２レンズ群、第３レンズ群であり、光軸上を像面側へ移動させることにより、広角端から望遠端への変倍を行っている。広角端からｆ＝１００．０２ｍｍにかけて、Ｕ３はＵ２に対してより像側に移動している。
【００４８】
Ｕ４は変倍に際し移動する負の屈折力の第４レンズ群であり、広角端から望遠端にかけて、光軸上を移動する。Ｕ５は固定群であり、第５レンズ群（リレー群）である。Ｕ５内に固定の開口絞りＳＰが配置されている。Ｕ５内には、焦点距離変換用のコンバータ（エクステンダ）等が装着されても良い。ＩＰは像面であり、固体撮像素子やフィルム面といった撮像面に相当する。
【００４９】
本実施例の各条件式対応値を表１に示す。本数値実施例はいずれの条件式も満足しており、良好な光学性能を達成している。また、ズーム比１９．９９倍、全長４５５．０４ｍｍと、高倍率且つ小型軽量を達成している。
【００５０】
［実施例３］
図５は本発明の実施例３としての数値実施例３の広角端、ｆ＝２９．３３ｍｍ、望遠端のレンズ断面図である。図６は広角端、ｆ＝２９．３３ｍｍ、望遠端の収差図である。
【００５１】
各レンズ断面図において、左方が被写体（物体）側（前方）で、右方が像側（後方）である。Ｕ１は変倍において不動の正の第１レンズ群である。Ｕ１の一部を光軸方向に移動させることでフォーカス調整を行う。Ｕ２、Ｕ３はそれぞれ変倍に際し移動する負の屈折力の第２レンズ群、第３レンズ群であり、光軸上を像面側へ移動させることにより、広角端から望遠端への変倍を行っている。広角端からｆ＝２９．３３ｍｍにかけて、Ｕ３はＵ２に対してより像側に移動している。
【００５２】
Ｕ４は変倍に際し移動する正の屈折力を有する第４レンズ群であり、広角端から望遠端にかけて、光軸上を移動する。Ｕ５は固定群であり、第５レンズ群（リレー群）である。Ｕ５の最も物体側に固定の開口絞りＳＰが配置されている。Ｕ５内には、焦点距離変換用のコンバータ（エクステンダ）等が装着されても良い。Ｐは色分解プリズムやフィルター等と等価なガラスブロックである。ＩＰは像面であり、固体撮像素子やフィルム面といった撮像面に相当する。
【００５３】
本実施例の各条件式対応値を表１に示す。本数値実施例はいずれの条件式も満足しており、良好な光学性能を達成している。また、ズーム比９９．９９倍、全長６１８．６２ｍｍと、高倍率且つ小型軽量を達成している。
【００５４】
［実施例４］
図７は本発明の実施例４としての数値実施例４の広角端、ｆ＝２４．０８ｍｍ、望遠端のレンズ断面図である。図８は広角端、ｆ＝２４．０８ｍｍ、望遠端で無限遠フォーカス時の収差図である。
【００５５】
各レンズ断面図において、左方が被写体（物体）側（前方）で、右方が像側（後方）である。Ｕ１は変倍において不動の正の第１レンズ群である。Ｕ１の全体を光軸方向に移動させることでフォーカス調整を行う。Ｕ２、Ｕ３はそれぞれ変倍に際し移動する負の屈折力の第２レンズ群、第３レンズ群であり、光軸上を像面側へ移動させることにより、広角端から望遠端への変倍を行っている。広角端からｆ＝２９．３３ｍｍにかけて、Ｕ３はＵ２に対して物体側に移動している。
【００５６】
Ｕ４は変倍に際し移動する負の屈折力を有する第４レンズ群であり、広角端から望遠端にかけて、光軸上を移動する。Ｕ５は固定群であり、第５レンズ群（リレー群）である。Ｕ５の最も物体側に固定の開口絞りＳＰが配置されている。Ｕ５内には、焦点距離変換用のコンバータ（エクステンダ）等が装着されても良い。Ｐは色分解プリズムやフィルター等と等価なガラスブロックである。ＩＰは像面であり、固体撮像素子やフィルム面といった撮像面に相当する。
【００５７】
本実施例の各条件式対応値を表１に示す。本数値実施例はいずれの条件式も満足しており、良好な光学性能を達成している。また、ズーム比３４．９９倍、全長３５９．６４ｍｍと、高倍率且つ小型軽量を達成している。
【００５８】
次に、上述した各ズームレンズを撮像光学系として用いた撮像装置について説明する。
【００５９】
図１０は各実施例のズームレンズを撮影光学系として用いた撮像装置（テレビカメラシステム）の要部概略図である。
【００６０】
図１０において１０１は実施例１〜４のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、変倍時に移動する変倍部１１５、結像用のレンズ群１１６を有している。ＳＰは開口絞りである。変倍中に固定のレンズ群１１６は、光路中より挿抜可能な変倍光学系ＩＥを有している。
【００６１】
変倍部１１５には、光軸方向に駆動される為の駆動機構が備わっている。１１７、１１８は変倍部１１５及び開口絞りＳＰを電動駆動するモータ等の駆動手段である。尚、駆動機構を追加することでレンズ群１１４、１１５、１１６の全体、もしくは各レンズ群の一部は光軸方向に移動することによりフォーカシングを行うこともできる。
【００６２】
１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【００６３】
また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００６４】
以上、本発明の好ましい実施形態について説明したが、本発明はこれらの実施形態に限定されず、その要旨の範囲内で種々の変形及び変更が可能である。
【００６５】
次に本発明の実施例１〜４に対応する数値実施例１〜４を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉおよびθgfiは第ｉ番目の光学部材の屈折率とアッベ数および、部分分散比である。焦点距離、Ｆナンバー、画角は、それぞれ無限遠物体に焦点を合わせたときの値を表している。ＢＦはレンズの最終面から像面までの距離を空気換算した値である。
【００６６】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
【００６７】
ｘ＝（ｙ2／ｒ）／｛１＋（１−ｋ×ｙ2／ｒ2）0.5｝＋A３ｙ３＋A４×ｙ４＋A５×ｙ５＋A６×ｙ６＋A７×ｙ８＋A９×ｙ９＋A１０×ｙ１０＋A１１×ｙ１１＋A１２×ｙ１２
(数値実施例１)
単位 mm
面データ
面番号       r        d      nd         vd       有効径
1        165.586   18.09   1.49700    81.5      125.57
2       -708.954    1.00                        124.27
3        135.848    3.70   1.77250    49.6      115.67
4        100.353    4.76                        110.60
5        108.123   17.42   1.43387    95.1      109.82
6       2602.055    4.81                        108.28
7       -382.546    3.20   1.77250    49.6      107.97
8        182.501   15.54                        104.15
9        159.895   11.40   1.49700    81.5      104.03
10      -17116.486    0.20                        103.43
11        254.718    8.54   1.49700    81.5      101.53
12      -1355.297  (可変)                        100.61
13*     -1458.631    1.20   1.72916    54.7       41.76
14         36.247    4.13                         37.39
15        148.267    1.00   1.61800    63.3       37.34
16         25.964   10.69   1.72047    34.7       34.80
17       -141.098  (可変)                         33.41
18        -29.453    1.00   1.69680    55.5       30.10
19       -177.158  (可変)                         30.12
20        -76.435    1.00   1.72916    54.7       31.43
21        178.611    2.84   1.84666    23.8       32.38
22      -1306.217  (可変)                         32.89
23        331.810    3.59   1.51633    64.1       45.33
24*      -256.462    0.20                         45.82
25         61.324   10.20   1.49700    81.5       47.70
26        -85.427    0.50                         47.55
27         87.809    9.30   1.43875    94.9       44.68
28        -70.263    1.50   2.00100    29.1       43.33
29        161.223    5.06                         42.54
30(絞り)    ∞       2.00                         42.61
31         61.002    7.05   1.68893    31.1       42.73
32       -187.692   19.32                         42.15
33        -67.045    1.20   2.00100    29.1       29.11
34         45.219    5.97   1.76182    26.5       28.65
35        -63.473   26.43                         28.63
36        -47.004    1.50   2.00100    29.1       17.97
37       -101.737   26.95                         18.34
38        106.584    5.58   1.76182    26.5       23.88
39        -26.003    1.00   2.00100    29.1       23.91
40         90.795    1.42                         24.54
41         59.029    4.22   1.67270    32.1       25.68
42       -105.131                                 25.96
像面        ∞   
非球面データ
第13面
K = 0.00000e+000  A 4= 3.98808e-006  A 6=-2.07696e-009  A 8= 3.61763e-012  A10=-1.32759e-015  A12= 2.24467e-017  
A 3=-1.14383e-007  A 5= 2.69063e-008  A 7=-9.83060e-012  A 9= 1.73313e-013  A11=-7.19190e-016  
第24面
K =-8.40684e-001  A 4= 6.20585e-007  A 6= 1.94828e-010  A 8= 1.53658e-013  A10=-2.12425e-016  A12= 1.85280e-019  
A 3= 1.73854e-007  A 5=-7.84105e-010  A 7= 1.03135e-012  A 9=-1.66562e-015  A11= 2.32407e-018  
各種データ
ズーム比     19.97 
焦点距離      50.00   100.42   201.22   502.35   998.71  
Fナンバー      4.50     4.50     4.50     4.50     8.00  
画角          16.49     8.38     4.21     1.69     0.85  
像高          14.80    14.80    14.80    14.80    14.80  
レンズ全長   455.00   455.00   455.00   455.00   455.00  
BF            55.00    55.00    55.00    55.00    55.00  
d12            3.34    50.55    82.09   108.61   119.08  
d17            6.11     5.83     5.92     6.29     6.36  
d19          120.49    62.85    23.66     7.45    28.56  
d22           26.56    37.26    44.84    34.16     2.50  
入射瞳位置   176.30   379.25   702.47   1531.76   2818.92  
射出瞳位置  -107.93  -107.93  -107.93  -107.93  -107.93  
前側主点位置 210.96   417.78   655.18   485.17  -2304.21  
後側主点位置   5.00   -45.42  -146.22  -447.35  -943.71  
ズームレンズ群データ
群  始面    焦点距離  レンズ構成長  前側主点位置  後側主点位置
1    1     211.50        88.66        28.97        -46.90
2   13    -174.61        17.02       -15.34        -29.45
3   18     -50.62         1.00        -0.12         -0.71
4   20    -121.61         3.84        -0.22         -2.33
5   23      62.13       132.98        -6.81       -131.31
(数値実施例２)
面データ
面番号       r        d      nd         vd       有効径
1        165.935   18.33   1.49700    81.5      126.77
2       -715.411    1.00                        125.46
3        135.469    3.70   1.77250    49.6      115.69
4        100.405    7.81                        110.64
5        108.137   17.20   1.43387    95.1      109.16
6       2460.949    5.17                        107.62
7       -384.320    3.20   1.77250    49.6      107.01
8        183.507   14.60                        103.25
9        159.904   11.07   1.49700    81.5      103.03
10      -30186.544    0.20                        102.45
11        253.361    8.92   1.49700    81.5      100.58
12      -1404.603  (可変)                         99.47
13        199.507    1.20   1.65160    58.5       39.94
14         26.037    5.00                         34.86
15        219.703    1.20   1.61800    63.3       35.00
16         26.078   10.46   1.72047    34.7       33.98
17       -118.519  (可変)                         33.26
18        -50.140    1.20   1.77250    49.6       29.95
19*       258.361  (可変)                         29.72
20        -75.251    1.00   1.72916    54.7       30.97
21        159.943    2.86   1.84666    23.8       31.94
22      -2202.245  (可変)                         32.44
23        256.081    3.80   1.51633    64.1       44.80
24*      -248.922    0.20                         45.28
25         60.838   10.09   1.49700    81.5       47.05
26        -83.385    0.50                         46.89
27         97.021    7.99   1.43875    94.9       44.10
28        -69.185    1.50   2.00100    29.1       43.21
29        154.566    5.06                         42.47
30(絞り)    ∞       2.00                         42.64
31         60.189    7.17   1.68893    31.1       42.92
32       -185.611   18.74                         42.36
33        -70.369    1.20   2.00100    29.1       30.02
34         42.993    6.29   1.76182    26.5       29.55
35        -66.061   29.74                         29.55
36        -44.447    1.50   2.00100    29.1       18.63
37        -77.527   27.25                         19.03
38         86.683    5.47   1.76182    26.5       24.23
39        -29.207    1.00   2.00100    29.1       24.19
40         86.919    1.42                         24.59
41         56.872    3.84   1.67270    32.1       25.57
42       -216.786                                 25.75
像面        ∞   
非球面データ
第19面
K = 1.77210e+002  A 4=-5.87904e-006  A 6=-1.22835e-008  A 8= 5.58673e-011  A10=-2.00359e-013  A12= 1.47307e-016  
A 3= 9.04839e-007  A 5= 1.22237e-007  A 7=-3.43901e-010  A 9= 6.84711e-013  A11= 1.06338e-015  
第24面
K =-8.40684e-001  A 4= 6.69801e-007  A 6= 2.34362e-010  A 8= 6.61897e-014  A10=-1.09981e-016  A12= 5.13833e-020  
A 3= 1.26705e-007  A 5= 3.33500e-010  A 7=-2.48178e-013  A 9=-2.53516e-015  A11= 7.20670e-018  
各種データ
ズーム比     19.99 
焦点距離      50.00   100.02   199.91   499.72   999.33  
Fナンバー      4.50     4.50     4.50     4.50     8.00  
画角          16.49     8.42     4.23     1.70     0.85  
像高          14.80    14.80    14.80    14.80    14.80  
レンズ全長   455.04   455.04   455.04   455.04   455.04  
BF            55.05    55.05    55.05    55.05    55.05  
d12            3.34    49.54    80.90   108.22   119.14  
d17            6.13     6.66     6.45     5.49     5.14  
d19          116.01    58.75    19.99     3.83    24.34  
d22           25.65    36.18    43.79    33.59     2.50  
入射瞳位置   179.25   379.84   694.91   1498.18   2757.74  
射出瞳位置  -103.91  -103.91  -103.91  -103.91  -103.91  
前側主点位置 213.52   416.92   643.41   426.89  -2527.23  
後側主点位置   5.04   -44.97  -144.85  -444.67  -944.33  
ズームレンズ群データ
群  始面    焦点距離  レンズ構成長  前側主点位置  後側主点位置
1    1     211.80        91.20        29.86        -48.68
2   13    -147.76        17.86       -14.92        -30.47
3   18     -54.01         1.20         0.11         -0.56
4   20    -116.76         3.86        -0.15         -2.27
5   23      59.82       134.76        -7.55       -126.59
(数値実施例３)
面データ
面番号       r        d      nd         vd       有効径
1      -43716.498    6.00   1.83400    37.2      189.52
2        349.147    2.00                        189.56
3        347.543   26.27   1.43387    95.1      190.69
4       -511.506   19.75                        191.33
5        345.012   19.99   1.43387    95.1      194.20
6      -1693.148    0.25                        193.78
7        250.079   20.32   1.43387    95.1      188.65
8       3666.641    0.25                        187.41
9        160.056   16.24   1.43875    94.9      173.35
10        320.212  (可変)                        171.47
11       2553.149    2.00   2.00330    28.3       42.59
12         43.349    7.60                         37.72
13        -63.583    2.00   1.88300    40.8       37.77
14         48.308   10.40   1.92286    18.9       41.09
15        -70.589  (可変)                         41.93
16        -56.831    2.00   1.88300    40.8       42.03
17*      2723.197  (可変)                         44.36
18        109.492   12.05   1.48749    70.2       82.15
19*     -4305.269    0.20                         82.87
20        100.255   14.56   1.59349    67.0       85.72
21       -455.265    0.20                         85.21
22        126.708    2.50   1.90200    25.1       81.64
23         61.699   20.34   1.43875    94.9       76.79
24       -323.100    0.20                         75.74
25*        99.695    9.10   1.48749    70.2       72.39
26      -2088.791  (可変)                         70.88
27(絞り)    ∞       2.56                         33.27
28       -167.693    1.40   1.81600    46.6       32.06
29         30.590    0.20                         30.42
30         30.465    5.89   1.84666    23.8       30.55
31        131.619    6.72                         29.80
32        -49.637    1.40   1.88300    40.8       28.54
33       -219.966    3.12                         28.88
34        -91.045    1.80   1.75500    52.3       29.11
35         87.642    3.34   1.84666    23.8       29.93
36        245.035    3.03                         30.34
37          ∞      17.58   1.62041    60.3       31.42
38        -50.904    5.64                         35.11
39        186.403    5.88   1.48749    70.2       34.76
40        -64.439    0.20                         34.53
41       -192.896    1.60   1.88300    40.8       33.76
42         41.230   10.61   1.48749    70.2       32.99
43        -56.332    0.20                         33.28
44        213.661    8.15   1.56732    42.8       32.56
45        -29.039    1.60   1.88300    40.8       32.04
46       -496.478    0.20                         32.46
47         78.126    8.08   1.48749    70.2       32.62
48        -45.076   14.00                         32.31
49          ∞      33.00   1.60859    46.4       60.00
50          ∞      13.20   1.51633    64.2       60.00
51          ∞                                    60.00
像面        ∞   
非球面データ
第17面
K =-2.53234e+004  A 4=-3.82946e-007  A 6=-2.75407e-010  A 8= 5.46025e-013  A10=-3.74522e-016  A12= 1.03329e-019  
第19面
K = 5.22565e+003  A 4= 1.17376e-008  A 6= 8.58481e-011  A 8=-7.15882e-015  A10=-1.66050e-018  A12= 5.86317e-022  
第25面
K =-5.12109e-001  A 4=-7.30279e-007  A 6=-5.24538e-011  A 8=-1.55464e-014  A10=-7.61075e-019  A12=-1.03968e-021  
各種データ
ズーム比     99.99 
焦点距離       9.30    29.33    93.66   350.61   929.86  
Fナンバー      1.85     1.85     1.85     1.85     4.91  
画角          30.60    10.62     3.36     0.90     0.34  
像高           5.50     5.50     5.50     5.50     5.50  
レンズ全長   618.62   618.62   618.62   618.62   618.62  
BF            12.00    12.00    12.00    12.00    12.00  
d10            2.59    89.09   135.44   160.94   170.04  
d15            3.25     6.67     3.81     3.59     5.33  
d17          254.90   154.12    95.43    42.94     2.49  
d26            2.27    13.13    28.33    55.53    85.14  
入射瞳位置   124.00   398.55   970.20   2915.95   10415.43  
射出瞳位置   730.53   730.53   730.53   730.53   730.53  
前側主点位置 133.42   429.08   1076.08   3437.64   12548.64  
後側主点位置   2.70   -17.33   -81.67  -338.62  -917.87  
ズームレンズ群データ
群  始面    焦点距離  レンズ構成長  前側主点位置  後側主点位置
1    1     229.91       111.06        59.87        -20.53
2   11     -51.64        22.00        -3.97        -21.73
3   16     -62.66         2.00         0.02         -1.04
4   18      63.91        59.15        16.85        -26.35
5   27      56.26       149.41        61.12         23.06
（数値実施例４）
面データ
面番号       r        d      nd         vd       有効径
1*     -5528.734    2.50   1.83400    37.2      101.11
2        163.094    1.53                         99.02
3        185.529   12.11   1.43875    94.9       99.12
4       -336.198    0.25                         99.02
5        117.678   15.29   1.49700    81.5       96.13
6       -371.992    0.25                         95.78
7*       105.346    8.18   1.48749    70.2       90.31
8        261.153  (可変)                         89.13
9        111.568    1.00   1.81600    46.6       33.51
10         19.933    6.82                         28.07
11       -122.372    6.48   1.80518    25.4       28.00
12        -19.066    1.00   1.81600    46.6       27.91
13         92.601    0.25                         27.37
14         31.300    6.97   1.56732    42.8       27.67
15        -45.433  (可変)                         27.22
16        -41.651    1.00   1.88300    40.8       25.29
17        288.476  (可変)                         24.93
18        -43.625    1.00   1.79952    42.2       28.32
19         60.118    3.41   1.92286    21.3       30.47
20       1841.668  (可変)                         30.99
21(絞り)    ∞       1.30                         35.28
22       12979.173    5.25   1.62041    60.3       36.20
23        -49.580    0.20                         36.89
24        120.309    4.21   1.51823    58.9       37.85
25       -132.864    0.20                         37.86
26         55.286    9.10   1.48749    70.2       37.21
27        -54.880    1.50   1.83400    37.2       36.31
28        144.965   42.50                         35.64
29      -66980.756    4.94   1.51823    58.9       35.22
30        -58.701    0.70                         35.20
31         74.031    1.50   1.79952    42.2       33.34
32         28.155    6.45   1.51823    59.0       31.56
33        163.295    0.33                         31.00
34         37.844    7.87   1.48749    70.2       30.40
35        -90.255    1.50   1.78590    44.2       29.25
36        137.357    3.87                         28.51
37       10142.880    2.04   1.51823    58.9       27.82
38       -140.842    5.50                         27.62
39          ∞      37.50   1.60342    38.0       40.00
40          ∞      20.25   1.51633    64.2       40.00
41          ∞                                    40.00
像面        ∞   
非球面データ
第1面
K = 2.20568e+002  A 4=-4.20402e-009  A 6=-4.59467e-013  A 8=-8.61587e-016  A10= 2.39031e-019  A12=-9.49676e-024  
第7面
K =-1.36217e-001  A 4=-3.10340e-008  A 6=-5.79471e-012  A 8= 1.86396e-015  A10=-8.81016e-019  A12= 5.35694e-023  
各種データ
ズーム比     34.99 
焦点距離      10.00    24.08    58.91   185.24   349.90  
Fナンバー      2.00     2.00     2.00     2.00     3.78  
画角          28.81    12.87     5.33     1.70     0.90  
像高           5.50     5.50     5.50     5.50     5.50  
レンズ全長   359.64   359.64   358.61   359.64   359.64  
BF             8.00     8.00     8.00     8.00     8.00  
d 8            0.70    50.73    80.86   102.02   108.13  
d15            1.99     1.22     2.00     3.79     3.43  
d17          117.98    63.54    26.87     8.23    13.83  
d20            6.22    11.39    16.12    12.84     1.50  
入射瞳位置    57.26   192.37   442.65   1117.80   1752.94  
射出瞳位置  -474.99  -474.99  -474.99  -474.99  -474.99  
前側主点位置  67.06   215.25   494.37   1231.99   1849.36  
後側主点位置  -2.00   -16.09   -50.90  -177.24  -341.90  
ズームレンズ群データ
群  始面    焦点距離  レンズ構成長  前側主点位置  後側主点位置
1    1     142.15        40.11        20.29         -6.41
2    9    -103.89        22.52       -25.71        -56.10
3   16     -40.92         1.00         0.07         -0.46
4   18     -59.57         4.41        -0.00         -2.32
5   21      57.75       156.72        49.54       -126.68
各実施例と前述した各条件式との対応を表１に示す。
【００６８】
【表１】
2017203927.tif 000005
【符号の説明】
【００６９】
Ｕ１  第１レンズ群、Ｕ２  第２レンズ群、Ｕ３  第３レンズ群、Ｕ４  第４レンズ群、
Ｕ５  第５レンズ群、Ｐ  プリズムブロック、ＩＰ  像面
【図１】
2017203927.tif 000006
【図２】
2017203927.tif 000007
【図３】
2017203927.tif 000008
【図４】
2017203927.tif 000009
【図５】
2017203927.tif 000010
【図６】
2017203927.tif 000011
【図７】
2017203927.tif 000012
【図８】
2017203927.tif 000013
【図９】
2017203927.tif 000014
【図１０】
2017203927.tif 000015